(57)【要約】【課題】  デジタル放送システムの送信装置側において、ＡＶコンテンツとの同期制御等の整合性が取りやすく、かつ、急な番組編成の変更等に柔軟に対処でき、また、受信装置側において、制御負荷を小さくすることが可能なイベントメッセージの運用を実現する。【解決手段】  本発明の一側面に係るデジタル放送受信装置は、受信側の動作を制御するための制御データを放送番組の音声コンテンツデータに多重化して送信するデジタル放送送信装置から、前記音声コンテンツデータを受信するデジタル放送受信装置であって、受信した前記音声コンテンツデータから前記制御データを分離する分離手段（１１６）と、前記分離手段（１１６）により分離された前記制御データに応じた制御を実行する制御手段（１１７）とを有する。【選択図】  図１
2005176107.tif 000002
【特許請求の範囲】
【請求項１】
受信側の動作を制御するための制御データを放送番組の音声コンテンツデータに多重化して送信するデジタル放送送信装置から、前記音声コンテンツデータを受信するデジタル放送受信装置であって、
受信した前記音声コンテンツデータから前記制御データを分離する分離手段と、
前記分離手段により分離された前記制御データに応じた制御を実行する制御手段と、
を有すること特徴とするデジタル放送受信装置。
【請求項２】
前記分離手段は、
受信した前記音声コンテンツデータの所定周波数帯域の信号成分を抽出するフィルタ手段と、
前記フィルタ手段により抽出された前記信号成分を所定の周波数間隔でサンプリングするとともに、各サンプルを所定の音圧レベルで２値量子化するサンプリング手段と、
を含み、
前記制御手段は、前記サンプリング手段により得られた信号値に応じた制御を実行する
ことを特徴とする請求項１に記載のデジタル放送受信装置。
【請求項３】
前記所定周波数帯域は、非可聴帯域であることを特徴とする請求項２に記載のデジタル放送受信装置。
【請求項４】
複数の周辺機器を接続する接続手段を更に備え、
前記制御手段は、前記分離手段により分離された前記制御データに応じて、前記接続手段に接続された周辺機器の動作を制御する
ことを特徴とする請求項１から３までのいずれかに記載のデジタル放送受信装置。
【請求項５】
前記制御手段は、前記分離手段により分離された前記制御データと前記放送番組の放送チャンネルとに応じた制御を実行することを特徴とする請求項１から５までのいずれかに記載のデジタル受信装置。
【請求項６】
前記制御手段は、前記分離手段により分離された前記制御データと、前記放送番組のジャンルとに応じた制御を実行することを特徴とする請求項１から５までのいずれかに記載のデジタル放送受信装置。
【請求項７】
受信側の動作を制御するための制御データを放送番組の音声コンテンツデータに多重化して送信するデジタル放送送信装置から、前記音声コンテンツデータを受信するデジタル放送受信装置の制御方法であって、
受信した前記音声コンテンツデータから前記制御データを分離する分離ステップと、
前記分離ステップにより分離された前記制御データに応じた制御を実行する制御ステップと、
を有すること特徴とするデジタル放送受信装置の制御方法。
【請求項８】
放送番組に係る映像、音声の各コンテンツデータを送信するデジタル放送送信装置であって、
受信側の動作を制御するための制御データを前記音声のコンテンツデータに多重化する手段を有することを特徴とするデジタル放送送信装置。
【請求項９】
放送番組に係る映像、音声の各コンテンツデータを送信する送信装置と、前記送信装置からの番組データを受信する受信装置とを有するデジタル放送送受信システムであって、
前記送信装置は、
受信側の動作を制御するための制御データを前記音声のコンテンツデータに多重化する手段を有し、
前記受信装置は、
受信した前記音声のコンテンツデータから前記制御データを分離する分離手段と、
前記分離手段により分離された前記制御データに応じた制御を実行する制御手段と、
を有することを特徴とするデジタル放送送受信システム。
【発明の詳細な説明】
【技術分野】
【０００１】
本発明は、デジタル放送受信装置およびその制御方法、デジタル放送送信装置、ならびにデジタル放送受信システムに関する。
【背景技術】
【０００２】
２０００年１２月に開始されたBSデジタル放送を皮切りに、２００３年１２月には地上波デジタル放送も開始され、テレビ放送のデジタル化が本格化している。これらデジタル放送のサービスにおいて、受信ユーザーとの双方向サービスを可能とするデータ放送がある。このデータ放送については、社団法人電波産業会（ARIB）による標準規格書、及び技術資料である「デジタル放送におけるデータ放送符号化方式と伝送方式」、「BSデジタル放送運用規定」等に記述されている。
【０００３】
上述のデータ放送においては、イベントメッセージ伝送方式があり、これによれば、放送局から受信装置で動作しているアプリケーションに対し、メッセージ情報を送り、受信装置は、そのメッセージ情報をトリガとして、指定された動作を実行することになる。例えば、放送されている番組に同期して、受信装置に接続されたロボットを動作させたり、Ｄ-ＶＨＳ、ハードディスクレコーダ、ＤＶＣ（Digital Video Camera）等のデータ記録機器を制御し、番組コンテンツを記録したり、プリンタを制御し、番組コンテンツを印刷制御することも可能となる。なお、外部機器を制御するための制御データを送信する技術を開示した文献としては、例えば後掲の特許文献１がある。
【０００４】
以下、図面を用いて従来のデジタル放送における送信側システム、及び受信側における主にデータ受信、再構成部分についての説明を行なう。
【０００５】
図１０は、従来のデジタル放送送信装置の構成を示すブロック図である。この送信装置は、デジタル放送における映像、音声、データの各コンテンツの生成、多重を行なうものであり、ＡＶ（映像・音声）コンテンツ符号化装置１００１、ＡＶコンテンツ生成・送出装置１００２、データコンテンツ生成装置１００３、データコンテンツ送出装置１００４、イベントメッセージ生成装置１００５、イベントメッセージ送出装置１００６、番組情報生成装置１００７、番組情報送出装置１００８、多重化装置１００９から構成される。
【０００６】
ＡＶコンテンツ符号化装置１００１は、映像コンテンツ、音声コンテンツデータの記録されたＶＴＲ機器からのデータを読み出して、ＭＰＥＧ２等の符号化を施し、エレメンタリーストリーム（以下、「ＥＳ」という。）を生成してＡＶコンテンツ生成・送出装置１００２に出力する。
【０００７】
ＡＶコンテンツ生成・送出装置９０２は、ＡＶコンテンツ符号化装置９０１からの映像、音声の各ＥＳの同期化を行ない、多重化装置１００９に出力する。
【０００８】
データコンテンツ生成装置１００３は、ＢＭＬデータやＰＮＧ、ＪＰＥＧデータ等のモノメディアデータをはじめとするデータ放送用コンテンツを作成、セクションデータ化し、データコンテンツ送出装置１００４に出力する。
【０００９】
データコンテンツ送出装置１００４は、データコンテンツ生成装置１００３からのデータをあらかじめ定められた送出スケジュールに従いカルーセル化し、多重化装置１００９に送出する装置である。
【００１０】
イベントメッセージ生成装置１００５は、汎用イベントメッセージ記述子やＮＰＴ参照記述子をはじめとするストリーム記述子を作成、セクションデータ化し、イベントメッセージ送出装置１００６に出力する。
【００１１】
イベントメッセージ送出装置１００６は、イベントメッセージ生成装置１００５からのデータを、定められた送出スケジュール、又は装置操作者の任意のタイミングにより、多重化装置１００９に出力する。
【００１２】
番組情報生成装置１００７は、ＥＩＴ（Event Information Table）をはじめとする放送番組のスケジュールに関する情報をセクションデータ化し、番組情報送出装置９０８に出力する。
【００１３】
番組情報送出装置１００８は、番組情報生成装置１００７からのデータを、あらかじめ定められた送出タイミングにより、多重化装置１００９に出力する。
【００１４】
多重化装置１００９は、ＡＶコンテンツ生成・送出装置１００２、データコンテンツ送出装置１００４、イベントメッセージ送出装置１００６からのストリーム、データをパケット化、多重化しトランスポートストリーム（以下、「ＴＳ」という。）を生成し、図示しない後段のデジタル変調器に出力する。
【００１５】
図１１は、図１０に示したデジタル放送送信装置に対応する受信装置における、受信、復調したＴＳから映像、音声、及びデータ放送データを取り出す処理を説明する図である。
【００１６】
図１１において、１１０１は、複数チャンネル分の映像、音声データ、及び電子番組ガイド（ＥＰＧ）を構成するＳＩデータ、データ放送データが時分割多重されているＴＳを示す。ＴＳは一定サイズのパケット（ＴＳパケット）単位で構成され、各ＴＳパケットのヘッダ部１１０２には、ＴＳパケットに含まれるデータ種別等を識別するための識別子であるＰＩＤ（Packet Identifier）が付与されている。また、ＴＳパケットのペイロード部１１０３に分割されているＰＳＩ(Program Specific Information)データ１１０７、ＳＩデータ(Service Information) １１０９、データ放送データ１１０８には、そのデータの種類により、異なるＴａｂｌｅＩＤが付与されている。そのＴａｂｌｅＩＤにより、セクションフィルタ１１１２は、ＰＳＩデータ１１０７、ＳＩデータ１１０９、データ放送データ１１０８のデータを取り分け、データストリーム処理部１１０６に送出することになる。
【００１７】
映像データ、音声データを取り出す際には、デマルチプレクサ１１１０において、まずＰＩＤフィルタ１１１１とセクションフィルタ１１１２を用いて、所定のＴＳパケットのペイロード部１１０３にあるＰＳＩデータ１１０７を取り出し、データストリーム処理部１１０６に送出する。ＰＳＩ１１０７はＴＳ１１０１全体の内容を定義するものである。そのＰＳＩデータの解析処理後、デマルチプレクサ１１１０は、これらの情報を用いて、映像データ、音声データを取り出し、各々、ビデオデコーダ１１０４、オーディオデコーダ１１０５へ出力する。
【００１８】
以下、データ放送データ１１０８について説明する。
【００１９】
データ放送データ１１０８は、データカルーセル伝達方式で伝送されるＤＩＩ（Download Info Indication）、ＤＤＢ（Download Data Block）、及びイベントメッセージ伝送方式で伝送されるイベントメッセージ（ストリーム記述子）に大別される。ＤＩＩは、ＢＭＬデータや、ＰＮＧ、ＪＰＥＧ等のモノメディアデータをはじめとするデータ放送コンテンツモジュールの伝送パラメータや各モジュールの属性情報を記述するセクションデータである。ＤＤＢは、前記モジュールを一定の大きさのブロックに分割したセクションデータである。イベントメッセージ（ストリーム記述子）は、データカルーセル伝達方式で伝送されるＤＩＩ、ＤＤＢと組み合わせ、受信装置アプリケーションに対する同期、非同期のメッセージ通知に用いられ、先にも述べたように、汎用イベントメッセージ記述子やＮＰＴ参照記述子等を含むセクションデータである。
【００２０】
受信装置において、データ放送サービスを受信、表示中は、ＢＭＬコンテンツや放送局から指定されるイベントメッセージを複数、同時に前記ＰＩＤフィルタ１０１１とセクションフィルタ１１１２を用いて、常に受信し、取り分けたイベントメッセージの種別により所定の制御動作を実行することとなる。
【００２１】
【特許文献１】特開平８−２４１０９８号公報
【発明の開示】
【発明が解決しようとする課題】
【００２２】
従来のデジタル放送システムの概要は概ね上記のとおりであるが、このようなシステムによるイベントメッセージの運用では、以下の問題があった。
【００２３】
（送信装置側）
（１）AVコンテンツ生成・送出装置とイベントメッセージ生成、送出装置とが別々であり、ＡＶコンテンツとの同期制御等の整合性が取りにくく、その整合性をとるための作業が煩雑になる。
（２）コンテンツの作成時にイベントメッセージを予め多重することは容易であるが、たとえば生放送中、あるいは急な番組編成の変更時に生ずる変更に対し柔軟な運用が困難である。
（受信装置側）
（３）イベントメッセージを受信し、サービスを享受するために複数のフィルタリソースを使用する必要があり、このために制御負荷が過大となる。また、ＡＶコンテンツとの同期制御も煩雑である。
【００２４】
本発明は上記のような問題を解決するためになされたもので、デジタル放送システムの送信装置側において、ＡＶコンテンツとの同期制御等の整合性が取りやすく、かつ、急な番組編成の変更等に柔軟に対処でき、また、受信装置側において、制御負荷を小さくすることが可能なイベントメッセージの運用を実現することを目的とする。
【課題を解決するための手段】
【００２５】
本発明の一側面に係るデジタル放送受信装置は、以下の構成を有することにより上記した課題を解決する。すなわち、受信側の動作を制御するための制御データを放送番組の音声コンテンツデータに多重化して送信するデジタル放送送信装置から、前記音声コンテンツデータを受信するデジタル放送受信装置であって、受信した前記音声コンテンツデータから前記制御データを分離する分離手段と、前記分離手段により分離された前記制御データに応じた制御を実行する制御手段とを有すること特徴とする。
【００２６】
本発明の別の側面は、受信側の動作を制御するための制御データを放送番組の音声コンテンツデータに多重化して送信するデジタル放送送信装置から、前記音声コンテンツデータを受信するデジタル放送受信装置の制御方法に係り、受信した前記音声コンテンツデータから前記制御データを分離する分離ステップと、前記分離ステップにより分離された前記制御データに応じた制御を実行する制御ステップとを有すること特徴とする。
【００２７】
本発明のさらに別の側面は、放送番組に係る映像、音声の各コンテンツデータを送信するデジタル放送送信装置に係り、受信側の動作を制御するための制御データを前記音声のコンテンツデータに多重化する手段を有することを特徴とする。
【００２８】
本発明のさらに別の側面は、放送番組に係る映像、音声の各コンテンツデータをを送信する送信装置と、前記送信装置からの前記映像、音声のの各コンテンツデータを受信する受信装置とを有するデジタル放送送受信システムに係り、前記送信装置は、受信側の動作を制御するための制御データを前記音声のコンテンツデータに多重化する手段を有し、前記受信装置は、受信した前記音声のコンテンツデータから前記制御データを分離する分離手段と、前記分離手段により分離された前記制御データに応じた制御を実行する制御手段とを有することを特徴とする。
【発明の効果】
【００２９】
本発明によれば、デジタル放送システムの送信装置側において、ＡＶコンテンツとの同期制御等の整合性が取りやすく、かつ、急な番組編成の変更等に柔軟に対処でき、また、受信装置側において、制御負荷を小さくすることが可能なイベントメッセージの運用が実現される。
【発明を実施するための最良の形態】
【００３０】
以下、図面を参照して本発明の好適な実施形態について詳細に説明する。まず、本明細書において「音声」とは、人の声に限定したものではなく、あらゆる音響（オーディオ）信号を含む概念であることを付記しておく。
【００３１】
図１は、本実施形態におけるデジタル放送受信装置の構成を示すブロック図、図２は、本実施形態におけるデジタル放送送信装置の構成を示すブロック図である。
【００３２】
図１のデジタル放送受信装置は、図示のように、アンテナ１０１、チューナーモジュール１０２、デマルチプレクサ１０３、ビデオデコーダ１０４、オーディオデコーダ１０５、表示合成部１０６、ＤＡＣ１０７、表示制御部１０８、音声制御部１０９、画像表示部１１０、音声出力部１１１、制御バス１１２、記録媒体１１４、ＣＰＵ１１５、音声認識部１１６、外部接続機器制御部１１７、受光部１１８、リモコン１１９、外部接続機器１２０を有する。
【００３３】
一方、図２のデジタル放送送信装置は、ＡＶコンテンツ符号化装置２０１、ＡＶコンテンツ生成・送出装置２０２、データコンテンツ生成装置２０３、データコンテンツ送出装置２０４、番組情報生成装置２０５、番組情報送出装置２０６、多重化装置２０７、音声合成装置２０８を有する。
【００３４】
図２において、ＡＶコンテンツ符号化装置２０１、ＡＶコンテンツ生成・送出装置２０２、データコンテンツ生成装置２０３、データコンテンツ送出装置２０４、番組情報生成装置２０５、番組情報送出装置２０６、多重化装置２０７についてはそれぞれ、図１０に示した従来のデジタル放送送信装置における、ＡＶコンテンツ符号化装置１００１、ＡＶコンテンツ生成・送出装置１００２、データコンテンツ生成装置１００３、データコンテンツ送出装置１００４、番組情報生成装置１００７、番組情報送出装置１００８、多重化装置１００９と同様の機能を有する。音声合成装置２０８は、従来例におけるイベントメッセージ方式で伝送されるイベントメッセージ（ストリーム記述子）の代替となる機能を提供する制御データとしての音声トリガ信号を、音声コンテンツデータ中に多重する装置である。多重される制御データについては後述するが、予め規格等で定められた特定の周波数領域、音圧レベルを有する音声信号が、番組放送スケジュール、又は装置操作者の任意のタイミングにより多重される。
【００３５】
図１において、アンテナ１０１により受信した信号はチューナーモジュール１０２に入力される。チューナーモジュール１０２は、入力された信号に対して、復調、誤り訂正等の処理を施し、ＴＳを形成し、デマルチプレクサ１０３に出力する。
【００３６】
デマルチプレクサ１０３は、チューナーモジュール１０２より入力された複数チャンネル分の映像、音声データ、ＥＰＧを構成するＳＩデータ、及びデータ放送データが時分割多重されているＴＳの中から、受光部１１８を介したユーザーによるリモコン１１９等の操作で選択された動作に従い、それに係る映像、音声、ＥＰＧ、データ放送データの取り出し制御を行なう。
【００３７】
デマルチプレクサ１０３により取り出された映像データは、ビデオデコーダ１０４に出力され、ＭＰＥＧ２等の復号化処理を行なった後、表示合成部１０６に送出される。
【００３８】
デマルチプレクサ１０３により取り出された音声データは、オーディオデコーダ１０５に出力され、ＭＰＥＧ１、２等の復号化処理を行なった後、ＤＡＣ１０７に送出される。
【００３９】
デマルチプレクサ１０３により取り出されたＳＩ、データ放送データは、制御バス１１２を介して記録媒体１１４に一時蓄積され、必要に応じ、ＣＰＵ１１５によって読み出され、ＳＩデータ、ＤＩＩ、ＤＤＢデータのデコード処理を行ない、各々ＥＰＧ表示データ、データ放送表示データを形成する。
【００４０】
ビデオデコーダ１０４によって復号された映像データは、表示合成部１０６を介して、表示制御部１０８に送られ、画像表示部１１０に適した表示データ、表示タイミングを形成し、画像表示部１１０に映像表示を行なう。表示合成部１０６は、ＣＰＵ１１５においてデコード、形成されたＥＰＧ表示データ、データ放送表示データを、前記映像データと合成することが可能である。
【００４１】
オーディオデコーダ１０５においてデコードされた音声データは、ＤＡＣ１０７において、デジタル−アナログ変換が施され、音声制御部１０９に出力される。音声制御部１０９は、サラウンド出力機能、イコライザ機能、出力アンプ等を内蔵し、音声チャンネル（例えば、左（Ｌｅｆｔ）右（Ｒｉｇｈｔ）チャンネル）毎の出力制御を行ない、スピーカーに相当する音声出力部１１１を介して、音声出力を行なう。
【００４２】
以下、受信装置において、従来例におけるイベントメッセージの代替となる機能を提供する制御データとしての音声トリガ信号を、音声コンテンツデータから分離して取り出す処理について説明する。
【００４３】
図３は、音声認識部１１６の構成を示すブロック図である。同図に示すとおり、音声認識部１１６は、ＨＰｆ（High Pass Filter）３０１、ＬＰｆ（Low Pass Filter）３０２、音声信号合成部３０３、レベルセンス部３０４、サンプリング部３０５、トリガ信号デコーダ３０６により構成されている。
【００４４】
また、図４の（ａ）は、図３の（ａ）で示す部分における音声信号波形であり、図２の音声合成装置２０８が音声コンテンツ中に多重した制御データを含む音声信号波形とほぼ同等である。図４の（ｂ）は、図３の（ｂ）で示す部分における音声信号波形を示している。
【００４５】
図３において、ＨＰｆ３０１は、ある一定の周波数（図４では、周波数Ａ２で示す）以上の信号成分のみを通過させる高域フィルタである。一方、ＬＰｆ３０２は、ある一定の周波数（図４では、周波数Ａ１で示す）以下の信号成分のみを通過させる低域フィルタである。本実施形態では、Ａ１を２０Ｈｚ、Ａ２を２０ＫＨｚとしている。
【００４６】
音声信号合成部３０３は、ＨＰｆ３０１、ＬＰｆ３０２を通過した各々の周波数成分の信号波形を再合成する。この再合成された信号が制御データとしての音声トリガ信号であり、本実施形態では、２０Ｈｚ〜２０ｋＨｚの周波数成分が除去されたものとなる。２０Ｈｚ〜２０ｋＨｚといえば一般には人の可聴帯域であり、音声トリガ信号はその可聴帯域を外した非可聴帯域に存在するので、この音声トリガ信号が視聴者が聞き取る音質に影響を与えることがない。
【００４７】
レベルセンス部３０４は、ある一定の音圧レベル以下（図４では、レベルＢ１で示す）の音声信号成分をカットするフィルタ機能を有するものである。本実施形態では、Ｂ１を１０ｄＢとしている。
【００４８】
ＤＡＣ１０７の出力である音声信号がＨＰｆ３０１、ＬＰｆ３０２、音声信号合成部３０３、レベルセンス部３０４を通過することにより、サンプリング部３０５に入力される音声信号波形は、図４の（ｂ）に示すように、周波数２０Ｈｚ以下の低周波領域、及び２０ＫＨｚ以上の高周波領域で、音圧レベル１０ｄＢ以上の音声信号波形となる。
【００４９】
図４のサンプリング部３０５においては、図４の（ｂ）で示した音声信号波形に対し、特定の周波数単位（図４（ｂ）中、Ｓ１、Ｓ２、Ｓ３、Ｓ４、Ｓ５、Ｓ６で示す）で標本化（サンプリング）処理を施す。本実施例では、各々、Ｓ１を５Ｈｚ、Ｓ２を１０Ｈｚ、Ｓ３を１５Ｈｚ、Ｓ４を３０ＫＨｚ、Ｓ５を５０ＫＨｚ、Ｓ４を８０ＫＨｚとしている。各サンプルは、レベルセンス部３０４において、ある一定の音圧レベルを超える場合は１，その音圧レベル以下の場合は０となるように２値量子化される。以上、サンプリングされたデータは、トリガ信号デコーダ３０６に出力される。
【００５０】
なお、ＨＰｆ３０１およびＬＰｆ３０２におけるカットオフ周波数や、レベルセンス部３０４において設定される一定の音圧レベルは、視聴中のチャンネルや、番組の属するジャンル情報によって可変とするように構成してもよい。こうすることで、より柔軟な運用が可能となる。
【００５１】
図５にトリガ信号デコーダ３０６におけるサンプリングデータのデコード表の一例を示す。本例は、音声信号における時間方向の組み合わせによって制御対象およびその制御内容を決定するものである。
【００５２】
図５の（１）は、ある時刻ｔ１に含まれていたトリガ信号データのデコード表を示し、（２）は、ｔ１から所定時間後の時刻ｔ２に含まれていたトリガ信号データのデコード表を示す。
【００５３】
図５の（１）における低周波領域の信号は（Ｓ１，Ｓ２，Ｓ３）の３ビットで、イベント制御開始を示すスタートコードを示すものであり、ここでは、ｔ１（Ｓ１，Ｓ２，Ｓ３）＝（１，０，１）により、イベント制御開始のスタートコードであることを受信装置が判断することとしている。
【００５４】
また、図５の（１）における高周波領域の信号は３ビットで、現時刻から何秒後に次の制御データが音声コンテンツデータ中に含まれるかを示しており、本実施形態では、例えば、ｔ１（Ｓ４，Ｓ５，Ｓ６）＝（０，１，１）により、現時刻ｔ１から３秒後に次のイベント制御信号が音声信号中に含まれることを示すこととなる。
【００５５】
上記の場合、受信装置においては、３秒後の音声信号に含まれるイベント制御信号を取り出すことになる。以下、ｔ２−ｔ１＝３秒であったと仮定し、説明を行なう。
【００５６】
図５の（２）における低周波領域の３ビット信号は、イベント制御を行なう周辺機器を示すものであり、ここでは例えば、ｔ２（Ｓ１，Ｓ２，Ｓ３）＝（０，０，１）により、受信装置に図１の外部接続機器制御部１１７を介して接続されるＤ−ＶＨＳ装置（図１の外部接続機器１２０に相当）を制御することを意味する。
【００５７】
図５の（２）における高周波領域の３ビット信号は、上述の低周波領域データにより指定された周辺機器に対して、どのような制御を行なうかを示すものであり、ここでは例えば、ｔ２（Ｓ４，Ｓ５，Ｓ６）＝（０，０，１）により、記録（録画）動作を行なうことを意味する。
【００５８】
したがって、上記の例によれば、時刻ｔ１にスタートコードトリガ信号を受信後、３秒後の時刻ｔ２に、Ｄ−ＶＨＳ機器に録画動作を指示することにより、現在、受信装置が受信中の番組を記録する、ということになる。
【００５９】
同様に、例えば、
・ｔ１（Ｓ１，Ｓ２，Ｓ３）＝（１，０，１）、
・ｔ１（Ｓ４，Ｓ５，Ｓ６）＝（１，０，１）、
・ｔ２（Ｓ１，Ｓ２，Ｓ３）＝（１，０，１）、
・ｔ２（Ｓ４，Ｓ５，Ｓ６）＝（１，０，１）
の場合は、時刻ｔ１にスタートコードトリガ信号を受信後、５秒後の時刻ｔ２にプリンタにより、現在受信中の映像フレームデータを印刷する、ということになる。
【００６０】
また、同様に例えば、
・ｔ１（Ｓ１，Ｓ２，Ｓ３）＝（１，０，１）、
・ｔ１（Ｓ４，Ｓ５，Ｓ６）＝（１，０，１）、
・ｔ２（Ｓ１，Ｓ２，Ｓ３）＝（１，１，０）、
・ｔ２（Ｓ４，Ｓ５，Ｓ６）＝（０，０，１）
の場合は、時刻ｔ１にスタートコードトリガ信号を受信後、５秒後の時刻ｔ２に受信装置に内蔵されるハードディスク（図１の記録媒体１１４に相当）により、受信装置において受信中の番組を記録する、ということになる。
【００６１】
また上述の例では、図５の（１）、（２）に示したデコード表の通り、時間方向の組み合わせで制御対象となる周辺機器およびその制御内容を決定していたが、音声チャンネル（左（Ｌｅｆｔ）右（Ｒｉｇｈｔ）チャンネル）による組み合わせとしても同様の効果が得られる。その場合のトリガ信号データデコード表の一例を図６に示す。図６の（１）は、左（Ｌｅｆｔ）音声チャンネルの音声信号に含まれていたトリガ信号のデコード表、図６の（２）は、右（Ｒｉｇｈｔ）音声チャンネルの音声信号に含まれていたトリガ信号のデコード表である。
【００６２】
図６の（１）における低周波領域の３ビット信号は、イベント制御を有効（Ｖａｌｉｄ）とすることを示すものであり、本実施形態では、Ｌｅｆｔ（Ｓ１，Ｓ２，Ｓ３）＝（１，０，１）により、イベント制御を有効とすることを受信装置が判断することとしている。
【００６３】
図６の（１）における高周波領域の３ビット信号は、現時刻から何秒後にイベント制御を実行するのかを示しており、ここでは、例えば、Ｌｅｆｔ（Ｓ４，Ｓ５，Ｓ６）＝（０，１，１）により、現時刻から３秒後にイベント制御を実行することを示している。
【００６４】
また、図６の（２）における低周波領域の３ビット信号は、イベント制御を行なう周辺機器を示すものであり、ここでは、例えば、Ｒｉｇｈｔ（Ｓ１，Ｓ２，Ｓ３）＝Ｒｉｇｈｔ（０，０，１）により、受信装置に図１の外部接続機器制御部１１７を介して接続されるＤ−ＶＨＳ装置（図１の外部接続機器１２０に相当）を制御することを意味する。
【００６５】
図６の（２）における高周波領域の３ビット信号は、上述の低周波領域データにより指定された周辺機器に対して、どのような制御を行なうかを示すものであり、ここでは例えば、Ｒｉｇｈｔ（Ｓ４，Ｓ５，Ｓ６）＝（０，０，１）により、記録（録画）動作を行なうことを意味する。
【００６６】
従って、上記の例によれば、時刻ｔ１にイベント制御を有効とする（Ｖａｌｉｄ）信号を受信後、３秒後に、Ｄ−ＶＨＳ機器を記録制御して、現在、受信装置において受信中の番組を記録する、ということになる。
【００６７】
図７に、図３のトリガ信号デコーダ３０６におけるサンプリングデータのデコード表の別の例を示す。
【００６８】
図７に示したデコード表は、図５の（２）または図６の（２）で示した制御対象とする周辺機器とその制御内容を示すデコード表に相当するものであるが、このようなデコード表が放送チャンネル毎に記述されている。
【００６９】
つまり、これにより、視聴中の放送チャンネルに応じて、制御の対象とする周辺機器およびその制御内容を変えることが可能となる。
【００７０】
例えば、視聴中のテレビのチャンネルが１００ｃｈの場合には、（Ｓ１，Ｓ２，Ｓ３）＝（０，０，１）、（Ｓ４，Ｓ５，Ｓ６）＝（０，０，１）により、Ｄ−ＶＨＳ機器を記録（録画）動作を開始させる、ということになる。また、視聴中のテレビのチャンネルが２５０ｃｈの場合には、（Ｓ１，Ｓ２，Ｓ３）＝（０，０，１）、（Ｓ４，Ｓ５，Ｓ６）＝（０，０，１）により、ＤＶＤ機器を再生させる、ということになる。このように、同じトリガ制御信号を受信した場合でも、視聴中のチャンネルによって制御の対象とする周辺機器およびその制御内容を変更する事ができる。
【００７１】
また、図８に示すように、デコード表が、放送局から送出される放送番組の名称、内容、放送スケジュール情報等を記述するＥＩＴ中に含まれる番組の属するジャンル毎に記述されることにより、視聴中の番組のジャンルに応じて、制御の対象とする周辺機器およびその制御内容を変えることが可能になる。
【００７２】
例えば、視聴中の番組のジャンルが「ニュース」の場合には、（Ｓ１，Ｓ２，Ｓ３）＝（０，０，１）、（Ｓ４，Ｓ５，Ｓ６）＝（０，０，１）により、Ｄ−ＶＨＳ機器の記録（録画）動作を開始させる、ということになり、視聴中の番組のジャンルが「スポーツ」の場合には、（Ｓ１，Ｓ２，Ｓ３）＝（０，０，１）、（Ｓ４，Ｓ５，Ｓ６）＝（０，０，１）により、ＤＶＤ機器の再生動作を開始させる、ということになる。
【００７３】
図９Ａ、９Ｂは、トリガ信号デコーダ３０６におけるサンプリングデータのデコード表の更に別の例を示す図である。この例は、図５のデコード表と同様、音声信号における時間方向の組み合わせで制御対象とする周辺機器およびその制御内容を決定するものであるが、音声コンテンツ中に多重される制御データとしての音声トリガ信号のビット幅が３ビットから５ビットに拡張されている。更に、図９Ａにおける低周波領域に示す通り、イベント制御開始を示すスタートコードに、
・（Ｓ１，Ｓ２，Ｓ３、Ｓ４、Ｓ５）＝（０，０，１，０，１）、
・（Ｓ１，Ｓ２，Ｓ３、Ｓ４、Ｓ５）＝（１，０，１，０，１）
の２通りが割り当てられており、Ｓ１が０の場合には、Ｄ−ＶＨＳ、プリンタ、受信装置内ハードディスク等の記録機器の制御、Ｓ１が１の場合には、受信装置内の機能である図１の表示制御部１０８、音声制御部１０９の制御を開始する、ということになっている。
【００７４】
また、図９Ｂにおける低周波領域の５ビット信号は、受信装置に外部接続機器制御部１１７を介して接続されるＤ−ＶＨＳ装置やプリンタ、あるいは受信装置の機能である図１の表示制御部１０８、音声制御部１０９の制御を行なうことを意味する。
【００７５】
また、図９Ｂにおける高周波領域の５ビット信号は、上述の図９Ａの低周波領域データにより指定された周辺機器または受信機内部機能に対してどのような制御を行なうかを示している。
【００７６】
本実施形態では、例えば、
・ｔ１（Ｓ１，Ｓ２，Ｓ３、Ｓ４、Ｓ５）＝（０，０，１，０，１）、
・ｔ１（Ｓ６，Ｓ７，Ｓ８，Ｓ９，Ｓ１０）＝（０，０，１，０，１）、
・ｔ２（Ｓ１，Ｓ２，Ｓ３、Ｓ４、Ｓ５）＝（０，０，０，０，１）、
・ｔ２（Ｓ６，Ｓ７，Ｓ８，Ｓ９，Ｓ１０）＝（０，０，０，０，１）
によって、時刻ｔ１にスタートコードトリガ信号を受信後、５秒後のｔ２に、Ｄ-ＶＨＳ機器の記録（録画）動作を開始させて、受信中の番組を記録する、ということになる。
【００７７】
同様に、例えば、
・ｔ１（Ｓ１，Ｓ２，Ｓ３、Ｓ４、Ｓ５）＝（１，０，１，０，１）、
・ｔ１（Ｓ６，Ｓ７，Ｓ８，Ｓ９，Ｓ１０）＝（０，０，１，１，１）、
・ｔ２（Ｓ１，Ｓ２，Ｓ３、Ｓ４、Ｓ５）＝（１，０，０，０，１）、
・ｔ２（Ｓ６，Ｓ７，Ｓ８，Ｓ９，Ｓ１０）＝（１，０，０，０，１）
の場合は、時刻ｔ１にスタートコードトリガ信号を受信後、７秒後のｔ２に、表示制御部１０８を制御して、表示画像のサイズを（横）１９２０×（縦）１０８０で出力させる、ということになる。
【００７８】
また、同様に例えば、
・ｔ１（Ｓ１，Ｓ２，Ｓ３、Ｓ４、Ｓ５）＝（１，０，１，０，１）、
・ｔ１（Ｓ６，Ｓ７，Ｓ８，Ｓ９，Ｓ１０）＝（０，０，１，１，１）、
・ｔ２（Ｓ１，Ｓ２，Ｓ３、Ｓ４、Ｓ５）＝（１，０，０，１，０）、
・ｔ２（Ｓ６，Ｓ７，Ｓ８，Ｓ９，Ｓ１０）＝（１，１，１，０，１）
の場合は、時刻ｔ１にスタートコードトリガ信号を受信後、７秒後のｔ２に、音声制御部１０９を制御して、サラウンド音声出力をオンにする、ということになる。
【００７９】
以上述べた通り、音声コンテンツ中に多重される制御データとしての音声トリガ信号のビット幅を３ビットから５ビットに拡張することにより、制御開始までの時間、制御する機器、機能の指定の増加、機器、機能の制御方法の指定等、より細かな機器制御を行なうことが可能になる。
【００８０】
また上述の実施形態と同様、受信中のチャンネルや番組のジャンル情報によって、デコード表を可変させることにより、番組の特性に合わせた機器制御を行なうことも可能である。
【００８１】
このように、本実施形態によれば、送信装置は、イベントメッセージ方式で伝送されるイベントメッセージ（ストリーム記述子）の代替となる機能を提供する、受信側の動作を制御するための制御データとしての音声トリガ信号を、放送番組の音声コンテンツデータ中に多重する。そして、受信装置は、受信した音声コンテンツデータから、音声トリガ信号を分離・抽出し、この音声トリガ信号に応じた制御対象およびその制御内容を決定する。これにより具体的に以下のような効果を奏することになる。
【００８２】
（送信側システム）
（１）イベントメッセージの代替となる制御データとしての音声トリガ信号が音声コンテンツデータに多重されるので、ＡＶ（音声、映像）コンテンツとの同期制御等の整合性が取りやすくなる。
（２）特に生放送中、あるいは急な番組編成の変更時に生ずる変更に際し、イベントメッセージを伝送するＴＳパケットの種類の増減がないため、送信するＴＳに対する変更が軽減され、柔軟な運用が可能となる。
（受信装置側）
（３）イベントメッセージの代替となる制御データとしての音声トリガ信号が音声コンテンツデータに多重されるので、イベントメッセージ専用のＰＩＤ、セクションフィルタのリソースを使用する必要がなくなり、サービスを享受するために複数のフィルタリソースを削減することができる。
【００８３】
以上、本発明の実施形態を詳述した。上述の実施形態では、Ｄ−ＶＨＳ装置やＤＶＤ装置、プリンタ等を受信装置の周辺装置として説明したが、これらの装置は受信装置に含まれる一体型の装置であってもよい。
【００８４】
なお、Ｄ−ＶＨＳ機器等、番組データを記録・再生可能な機器に対して記録動作を開始させる際、上述の音声トリガ信号を図１の外部接続機器制御部１１７において、取り除いて記録するようにするように構成してもよい。これにより、Ｄ−ＶＨＳ機器等で記録した番組データを後に再生して視聴する時に、「Ｄ−ＶＨＳ機器に記録する」等の音声トリガ信号が含まれていた場合の機器制御上の不具合を未然に防止することが可能となる。また、そのような音声トリガ信号を取り除く処理は、Ｄ−ＶＨＳ機器等、番組データを記録・再生可能な機器に対し記録開始を指示する時に実行するのではなく、再生時に実行するようにしてもよい。
【図面の簡単な説明】
【００８５】
【図１】本発明の第１の実施形態に係るデジタル放送受信装置の構成を示すブロック図である。
【図２】本発明の第１の実施形態に係るデジタル放送送信装置の構成を示すブロック図である。
【図３】音声認識部１１６の構成を示すブロック図である。
【図４】音声認識部１１６内で観測される音声信号波形の例を示す図である。
【図５】トリガ信号デコーダ３０６におけるサンプリングデータのデコード表の一例を示す図である。
【図６】トリガ信号デコーダ３０６におけるサンプリングデータのデコード表の別の例を示す図である。
【図７】トリガ信号デコーダ３０６におけるサンプリングデータのデコード表の更に別の例を示す図である。
【図８】トリガ信号デコーダ３０６におけるサンプリングデータのデコード表の更に別の例を示す図である。
【図９Ａ】トリガ信号デコーダ３０６におけるサンプリングデータのデコード表の更に別の例を示す図である。
【図９Ｂ】トリガ信号デコーダ３０６におけるサンプリングデータのデコード表の更に別の例を示す図である。
【図１０】従来のデジタル放送送信装置の構成を示すブロック図である。
【図１１】図１０に示したデジタル放送送信装置に対応する受信装置における、受信、復調したＴＳから映像、音声、及びデータ放送データを取り出す処理を説明する図である。
【図１】
2005176107.tif 000003
【図２】
2005176107.tif 000004
【図３】
2005176107.tif 000005
【図４】
2005176107.tif 000006
【図５】
2005176107.tif 000007
【図６】
2005176107.tif 000008
【図７】
2005176107.tif 000009
【図８】
2005176107.tif 000010
【図９Ａ】
2005176107.tif 000011
【図９Ｂ】
2005176107.tif 000012
【図１０】
2005176107.tif 000013
【図１１】
2005176107.tif 000014